(57)【要約】      （修正有）【課題】ユーザが車椅子に座るままでユーザの体重を測定することができるユーザ重量測定可能な車椅子を提供すること。【解決手段】一つの移動装置１と、一つのシート枠２と、複数のロードセル３１，３２と、一つの表示器４とを含む重量測定可能な車椅子において、前記移動装置は、二つの前輪１１と、二つの後輪１２とを含み、前記シート枠は、座当２１と、背当２２と、肘当２３と、ハンドル２４とを含み、ユーザの背部を支持するために、前記背当は座当と連結し、前記肘当は座当の両側に設けられ、前記ハンドルが背当の上方に設けられ、前記ロードセルは、移動装置とシート枠との間に設けられ、シート枠から伝達された重量を電子信号に変換し、前記表示器は、各ロードセルと電気的に連接し、前記ロードセルから転送された重量信号を接収して計算して、ディスプレー４１によって結果を表示する。【選択図】図１
0003120031.tif 000002
【実用新案登録請求の範囲】
【請求項１】
一つの移動装置と、一つのシート枠と、複数のロードセルと、一つの表示器とを含む重量測定可能な車椅子において、
前記移動装置は、二つの前輪と、二つの後輪とを含み、
前記シート枠は、座当と、背当と、肘当と、ハンドルとを含み、ユーザの背部を支持するために、前記背当は座当と連結し、前記肘当は座当の両側に設けられ、前記ハンドルが背当の上方に設けられ、
前記ロードセルは、移動装置とシート枠との間に設けられ、シート枠から伝達された重量を電子信号に変換し、
前記表示器は、各ロードセルと電気的に連接し、前記ロードセルから転送された重量信号を接収して計算して、ディスプレーによって結果を表示することを特徴とする、
ユーザ重量測定可能な車椅子。
【請求項２】
ユーザの足を支持するために、前記シート枠の前方には二つの足当が設けてあり、前記表示器が肘当に固定されたことを特徴とする、請求項１に記載のユーザ重量測定可能な車椅子。
【請求項３】
前記前輪と前記後輪とにはロードセルがそれぞれ設けてあり、シート枠から転達された重量が前記ロードセルに直接に加えることを特徴とする、請求項１に記載のユーザ重量測定可能な車椅子。
【請求項４】
前記移動装置は、二つの長手方向ロッドと、前記長手方向ロッドの間に固定された幅方向ロッドとを含み、前記前輪が長手方向ロッドの一端に枢着し、前記後輪が長手方向ロッドの他端に枢着し、二つのロードセルは、シート枠の両側にそれぞれ枢着し、且つ長手方向ロッドに固定され、一つのロードセルは、一端が幅方向ロッドと連結し、他端が一つの支持具と連結し、前記支持具の他端が前記シート枠と連結することを特徴とする、請求項１に記載のユーザ重量測定可能な車椅子。
【請求項５】
前記背当は座当に枢着され、前記支持具は、伸縮機能を有し、両端がロードセルと座当とにそれぞれ枢着し、前記支持具の伸縮により前記座当の傾斜角度が変更可能であり、一つの伸縮装置は、一端が前記座当の底部に枢着し、他端が前記背当に枢着し、前記伸縮装置の伸縮により背当と座当との成し角度は変更可能であることを特徴とする、請求項１に記載のユーザ重量測定可能な車椅子。
【考案の詳細な説明】
【技術分野】
【０００１】
本考案は、ユーザ重量測定可能な車椅子に係り、特に、移動装置と、シート枠と、ロードセルとを含み、体不自由な方の重量を測定可能なユーザ重量測定可能な車椅子に関するものである。
【背景技術】
【０００２】
人口の高齢化に従って、各種類の医療器材の設計および構造は、体不自由な高齢者の使用便利性と使用快適性とを真剣に考慮し始めた。
【０００３】
車椅子を例にすれば、車椅子は主にシートと四つの車輪とを有し、前記シートは、座当と、背当と、ハンドルと、足当とを含み、ユーザの足部を支持するために、前記足当が前記シートの前方に設けられ、看護者が車椅子の走行を便利に操縦するために、前記ハンドルが背当の頂端に設けられ、なお、車椅子は、折り畳んで収納可能なものがあり、運搬および収納は極めて便利である。
【０００４】
また、車椅子のユーザは、主に、高齢者と、体力の弱い方と、手術後の方となどであり、彼らは、行動が不自由であり、他人の助けが必要であり、特に、体重の変化を監視して手術後の復元状況を分かるために、車椅子のユーザは体重を測定することも必要であるが、車椅子から立ち上がって体重を測定することは、車椅子のユーザにとって極めて困難なことであり、他人が助けても、ユーザが過程中に倒れることはよくあった。
【考案の開示】
【考案が解決しようとする課題】
【０００５】
本考案の主な目的は、ユーザが車椅子に座るままでユーザの体重を測定することができるユーザ重量測定可能な車椅子を提供することにある。
【課題を解決するための手段】
【０００６】
上記目的を達成するためになされた本願の考案は、一つの移動装置と、一つのシート枠と、複数のロードセルと、一つの表示器とを含む重量測定可能な車椅子において、前記移動装置は、二つの前輪と、二つの後輪とを含み、前記シート枠は、座当と、背当と、肘当と、ハンドルとを含み、ユーザの背部を支持するために、前記背当は座当と連結し、前記肘当は座当の両側に設けられ、前記ハンドルが背当の上方に設けられ、前記ロードセルは、移動装置とシート枠との間に設けられ、シート枠から伝達された重量を電子信号に変換し、前記表示器は、各ロードセルと電気的に連接し、前記ロードセルから転送された重量信号を接収して計算して、ディスプレーによって結果を表示することを特徴とするユーザ重量測定可能な車椅子であることを要旨としている。
【０００７】
本願の考案では、ユーザの足を支持するために、前記シート枠の前方には二つの足当が設けてあり、前記表示器が肘当に固定されたことを特徴とする請求項１に記載のユーザ重量測定可能な車椅子であることを要旨としている。
【０００８】
本願の考案では、前記前輪と前記後輪とにはロードセルがそれぞれ設けてあり、シート枠から転達された重量が前記ロードセルに直接に加えることを特徴とする請求項１に記載のユーザ重量測定可能な車椅子であることを要旨としている。
【０００９】
本願の考案では、前記移動装置は、二つの長手方向ロッドと、前記長手方向ロッドの間に固定された幅方向ロッドとを含み、前記前輪が長手方向ロッドの一端に枢着し、前記後輪が長手方向ロッドの他端に枢着し、二つのロードセルは、シート枠の両側にそれぞれ枢着し、且つ長手方向ロッドに固定され、一つのロードセルは、一端が幅方向ロッドと連結し、他端が一つの支持具と連結し、前記支持具の他端が前記シート枠と連結することを特徴とする請求項１に記載のユーザ重量測定可能な車椅子であることを要旨としている。
【００１０】
本願の考案では、前記背当は座当に枢着され、前記支持具は、伸縮機能を有し、両端がロードセルと座当とにそれぞれ枢着し、前記支持具の伸縮により前記座当の傾斜角度が変更可能であり、一つの伸縮装置は、一端が前記座当の底部に枢着し、他端が前記背当に枢着し、前記伸縮装置の伸縮により背当と座当との成し角度は変更可能であることを特徴とする請求項１に記載のユーザ重量測定可能な車椅子であることを要旨としている。
【考案の効果】
【００１１】
本考案に係るユーザ重量測定可能な車椅子によれば、次のような効果がある。
（１）ユーザは何時でも自分の体重の変化を知ることができ、これにより、医者またはユーザは手術後の復元状況を容易に把握することができる。
【００１２】
（２）ユーザは、車椅子を離れなくても、体重を測定することができるので、車椅子を離れる過程中に倒れて怪我することを回避できる。
【考案を実施するための最良の形態】
【００１３】
以下、添付図面を参照して本考案の好適な実施の形態を詳細に説明する。
【００１４】
まず、図１と図２を参照する。図１は本考案に係る実施例１の分解斜視図であり、図２は本考案に係る実施例１の組合状態を示す側面図である。本考案に係る実施例１は、一つの移動装置１と、一つのシート枠２と、複数のロードセル３１，３２と、一つの表示器４とを含む。前記移動装置１は、二つの前輪１１と、二つの後輪１２とを含む。前記シート枠２は、座当２１と、背当２２と、肘当２３と、ハンドル２４とを含み、ユーザの背部を支持するために、前記背当２２は座当２１と連結し、前記肘当２３は座当２１の両側に設けられ、前記ハンドル２４が背当２２の上方に設けられ、ユーザの足部を支持するために、シート枠２の前方には足当２５が二つ設けてある。
【００１５】
各ロードセル３１，３２は、移動装置１とシート枠２との間に設けられ、シート枠２から転達された重量を電子信号に変換する。前記表示器４は、各ロードセル３１，３２と電気的に連接し、前記ロードセル３１，３２から転送された重量信号を接収して計算して、ディスプレー４１によって結果を表示する。特に、前記前輪１１と前記後輪１２とにはロードセル３１，３２がそれぞれ設けてあり、すなわち、前記ロードセル３１は、一端が前輪１１に固定され、他端がシート枠２の長手方向ロッド２６に固定され、前記ロードセル３２は、一端が後輪１２に固定され、他端がシート枠２の支持ロッド２７に固定され、前記支持ロッド２７が座当２１と長手方向ロッド２６との間に固定され、なお、前記ロードセル３１，３２の種類、数量、位置または型番は、当業者が容易に選択し又は変化することができるので、詳細な説明は省略する。
【００１６】
ユーザがシート枠２に座るときに、ユーザの重量が各ロードセル３１，３２に直接に加えて、前記ロードセル３１，３２はシート枠２から伝達された重量を電子信号に変換し、各ロードセル３１，３２と電気的に連接する表示器４は、前記ロードセル３１，３２から転送された重量信号を接収して計算して、ディスプレー４１によって結果を表示する。なお、毎回の測定の前には、表示器４のディスプレー４１の表示をゼロにすることが必要であり、これにより、シート枠２または環境の重量測定に対する影響が無くされ、体重の測定結果の精確度は向上になる。
【００１７】
また、図３乃至図５を参照する。図３は本考案に係る実施例２の分解斜視図であり、図４は本考案に係る実施例２の重量センサーの一部の拡大図であり、図５は本考案に係る実施例２の組合状態を示す側面図である。本考案に係る実施例２は、一つの移動装置５と、複数のロードセル６１，６２と、一つの表示器６３と、一つのシート枠８とを含む。前記移動装置５は、二つの前輪５１と、二つの後輪５２とを含む。前記シート枠８は、座当８１と、背当８２と、肘当８３と、ハンドル８４とを含む。本実施例と実施例１との異なる点は、前記移動装置５は、二つの長手方向ロッド５３と、前記長手方向ロッド５３の間に固定された幅方向ロッド５４とを含み、前記前輪５１が長手方向ロッド５３の一端に枢着し、前記後輪５２が長手方向ロッド５３の他端に枢着し、二つのロードセル６１は、シート枠８の両側にそれぞれ枢着し、且つ長手方向ロッド５３に固定され、一つのロードセル６２は、一端が幅方向ロッド５４と連結し、他端が一つの支持具７１と連結し、前記支持具７１の他端が前記シート枠８と連結する。
【００１８】
実施例２では、体不自由な方が、シート枠８の座当８１の傾斜角度と、背当８２と座当８１との成し角度とを変更できるために、前記支持具７１は、伸縮機能を有し、両端がロードセル６２と座当８１とにそれぞれ枢着し、前記支持具７１の伸縮により前記座当８１の傾斜角度が変更可能であり、一つの伸縮装置７２は、一端が前記座当８１の底部に枢着し、他端が前記背当８２に枢着し、前記伸縮装置７２の伸縮により背当８２と座当８１との成し角度は変更可能になり、そうすると、車椅子のユーザは、ディスプレー６３により体重の変化を把握することができると共に、背当８２と座当８１との成し角度を変更することにより座り快適性を得ることもできる。
【００１９】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００２０】
【図１】本考案に係る実施例１の分解斜視図である。
【図２】本考案に係る実施例１の組合状態を示す側面図である。
【図３】本考案に係る実施例２の分解斜視図である。
【図４】本考案に係る実施例２の重量センサーの一部の拡大図である。
【図５】本考案に係る実施例２の組合状態を示す側面図である。
【符号の説明】
【００２１】
１        移動装置                  １１      前輪
１２      後輪                      ２        シート枠
２１      座当                      ２２      背当
２３      肘当                      ２４      ハンドル
２５      足当                      ２６      長手方向ロッド
２７      支持ロッド                ３１      ロードセル
３２      ロードセル                ４        表示器
４１      ディスプレー              ５        移動装置
５１      前輪                      ５２      後輪
５３      長手方向ロッド            ５４      幅方向ロッド
６１      ロードセル                ６２      ロードセル
６３      表示器                    ７１      支持具
７２      伸縮装置                  ８        シート枠
８１      座当                      ８２      背当
８３      肘当                      ８４      ハンドル
【図１】
0003120031.tif 000003
【図２】
0003120031.tif 000004
【図３】
0003120031.tif 000005
【図４】
0003120031.tif 000006
【図５】
0003120031.tif 000007